(57)【特許請求の範囲】
【請求項１】
一側が空気吹出口、他側が空気入口とされ、内部が空気通路とされて対向する壁面にフィン回動軸着孔が複数形成されたケースと、
両端に回動軸部が形成され、一端には前記回動軸部と共に連結軸部が形成された複数のフィンと、
連結孔が複数形成されたリンク部材とを備え、
前記複数のフィンは、設定配列で前記連結軸部が前記リンク部材の連結孔に回動可能に挿入された風向調節装置において、
前記複数のフィンは、前記回動軸部の軸径及び前記連結軸部の軸径がそれぞれ異なる複数種類とされ、
前記リンク部材に形成された複数の連結孔は、前記複数のフィンの連結軸部の軸径に対応させて孔径を異ならせた複数種類とされると共に、前記連結孔は対応する前記連結軸部の軸径よりも大きい軸径の連結軸部が挿入困難な径とされ、かつ、前記複数の連結孔の孔径の配列が前記フィンの設定配列に基づく前記連結軸部の軸径の配列に対応させたものとされ、
前記ケースに形成された複数のフィン回動軸着孔は、前記複数のフィンの回動軸部の軸径に対応させて孔径を異ならせた複数種類とされると共に、前記フィン回動軸着孔は対応する前記回動軸部の軸径よりも大きい軸径の回動軸部が挿入困難な径とされ、かつ、前記フィン回動軸着孔の孔径の配列が前記フィンの設定配列に基づく前記回動軸部の軸径の配列に対応させたものとされ、
前記設定配列において隣り合う一方のフィンの連結軸部が、他方のフィンの連結軸部と対応する前記リンク部材の連結孔に挿入可能なとき、前記一方のフィンの回動軸部は前記他方のフィンの回動軸部と対応して前記ケースに形成されたフィン回動軸着孔に挿入困難な軸径となっていることを特徴とする風向調節装置。
【請求項２】
前記設定配列において隣り合う一方のフィンの回動軸部が、他方のフィンの回動軸部と対応して前記ケースに形成されたフィン回動軸着孔に挿入可能なとき、前記一方のフィンの連結軸部は前記他方のフィンの連結軸部と対応する前記リンク部材の連結孔に挿入困難な軸径となっていることを特徴とする請求項１に記載の風向調節装置。
【発明の詳細な説明】
【技術分野】
【０００１】
本発明は、自動車等の風向調節装置に関する。
【背景技術】
【０００２】
例えば、自動車においては、インストルメントパネルの両縁及び中央部等に風向調節装置が設けられ、エアコン等からの空気の吹き出し方向を調節可能にしている。
【０００３】
従来における風向調節装置として、図６の分解斜視図に示すように、ケース１０１と、複数のフィン１１１，１２１と、リンク部材１３１，１４１とを備えるものがある。前記フィン１１１，１２１には垂直方向の縦フィン１１１と、水平方向の横フィン１２１とがある。
【０００４】
前記ケース１０１は、一側が空気吹出口１０２、他側が空気入口１０３とされ、内部が空気通路１０４とされて対向する壁面にはフィン回動軸着孔１０５，１０６，１０７，１０８が複数形成されている。前記フィン１１１，１２１は、両端に回動軸部１１２，１２２が形成され、一端には前記回動軸部１１２，１２２と共に連結軸部１１４，１２４が形成されている。また、前記リンク部材１３１，１４１は、プレート状あるいは棒状からなり、複数の連結孔１３２，１４２が形成されている。
【０００５】
前記フィン１１１，１２１は、前記連結軸部１１４，１２４が前記リンク部材１３１，１４１の連結孔１３２，１４２に回動可能に挿入され、その状態で前記回動軸部１１２，１２２が前記ケース１０１のフィン回動軸着孔１０５，１０６，１０７，１０８に挿入されて図７及び図８に示すように前記ケース１０１に取り付けられる。前記ケース１０１に取り付けられた縦フィン１１１及び横フィン１２１は、それぞれ前記リンク部材１３１，１４１で連結されており、一つの縦フィンを左右に回動させると他の縦フィンも連動して同一方向へ回動し、また一つの横フィンを上下に回動させると他の横フィンも連動して同一方向へ回動するようになっている。
【０００６】
前記横フィン１２１の一つには、左右にスライド可能に操作部材１５１が取り付けられる。前記操作部材１５１の背面には、前記縦フィン１１１の一つを挟む挟持部１５２が設けられており、前記操作部材１５１を左右にスライドさせると前記複数の縦フィン１１１が連動して左右に回動し、一方、前記操作部材１５１を上下に動かすことにより、前記複数の横フィン１２１が連動して上下に回動する。符号１５５は前面枠であり、図８に示すように前記ケース１０１にフィン１１１，１２１が取り付けられた後、前記ケース１０１の前面に装着される。
【０００７】
前記風向調節装置は、求められるデザインや設置部位のスペース等によって、ケースの形状が決定され、前記フィンの取付部位においてケースの上側と下側とで左右の壁間距離が異なっていたり、あるいは左側と右側とで上下の壁間距離が異なっていたりすることがある。また、風向調節の効率化等のために複数のフィンは、ケース内の取付位置によって形状が少し異なるようにされることがある。そのため、複数のフィンは、ケースに取り付けられた際の配列が予め設定されている。ところが、前記複数のフィンは、形状の違いが小さく、近似した形状であることが多いため、誤った配列でケースのフィン回動軸着孔に軸着されるおそれがある。複数のフィンが、設定配列とは異なる誤った配列でケースに取り付けられると、フィンがスムーズに回動しない等の動作不良や、前面枠が取り付けられなくなる等の不具合が発生する。
【０００８】
【特許文献１】特開２００６−１５８４０号公報
【特許文献２】特開２００７−１６８５５８号公報
【発明の開示】
【発明が解決しようとする課題】
【０００９】
本発明は前記の点に鑑みなされたものであって、複数のフィンの誤った配列での取り付けを防ぐことができ、フィンの正規の回動を実現できる風向調節装置の提供を目的とする。
【課題を解決するための手段】
【００１０】
請求項１の発明は、一側が空気吹出口、他側が空気入口とされ、内部が空気通路とされて対向する壁面にフィン回動軸着孔が複数形成されたケースと、両端に回動軸部が形成され、一端には前記回動軸部と共に連結軸部が形成された複数のフィンと、連結孔が複数形成されたリンク部材とを備え、前記複数のフィンは、設定配列で前記連結軸部が前記リンク部材の連結孔に回動可能に挿入された風向調節装置において、前記複数のフィンは、前記回動軸部の軸径及び前記連結軸部の軸径がそれぞれ異なる複数種類とされ、前記リンク部材に形成された複数の連結孔は、前記複数のフィンの連結軸部の軸径に対応させて孔径を異ならせた複数種類とされると共に、前記連結孔は対応する前記連結軸部の軸径よりも大きい軸径の連結軸部が挿入困難な径とされ、かつ、前記複数の連結孔の孔径の配列が前記フィンの設定配列に基づく前記連結軸部の軸径の配列に対応させたものとされ、前記ケースに形成された複数のフィン回動軸着孔は、前記複数のフィンの回動軸部の軸径に対応させて孔径を異ならせた複数種類とされると共に、前記フィン回動軸着孔は対応する前記回動軸部の軸径よりも大きい軸径の回動軸部が挿入困難な径とされ、かつ、前記フィン回動軸着孔の孔径の配列が前記フィンの設定配列に基づく前記回動軸部の軸径の配列に対応させたものとされ、前記設定配列において隣り合う一方のフィンの連結軸部が、他方のフィンの連結軸部と対応する前記リンク部材の連結孔に挿入可能なとき、前記一方のフィンの回動軸部は前記他方のフィンの回動軸部と対応して前記ケースに形成されたフィン回動軸着孔に挿入困難な軸径となっていることを特徴とする。
【００１２】
請求項２の発明は、請求項１において、前記設定配列において隣り合う一方のフィンの回動軸部が、他方のフィンの回動軸部と対応して前記ケースに形成されたフィン回動軸着孔に挿入可能なとき、前記一方のフィンの連結軸部は前記他方のフィンの連結軸部と対応する前記リンク部材の連結孔に挿入困難な軸径となっていることを特徴とする。
【発明の効果】
【００１３】
請求項１の発明によれば、複数のフィンは、回動軸部の軸径及び連結軸部の軸径がそれぞれ異なる複数種類とされ、リンク部材に形成された複数の連結孔は、前記複数のフィンの連結軸部の軸径に対応させて孔径を異ならせた複数種類とされると共に、前記連結孔は対応する前記軸部の軸径よりも大きい軸径の連結軸部が挿入困難な径とされ、かつ、前記複数の連結孔の孔径の配列が前記フィンの設定配列に基づく前記連結軸部の軸径の配列に対応させたものとされ、ケースに形成された複数のフィン回動軸着孔は、前記複数のフィンの回動軸部の軸径に対応させて孔径を異ならせた複数種類とされると共に、前記フィン回動軸着孔は対応する前記回動軸部の軸径よりも大きい軸径の回動軸部が挿入困難な径とされ、かつ、前記フィン回動軸着孔の孔径の配列が前記フィンの設定配列に基づく前記回動軸部の軸径の配列に対応させたものとされているため、もし、誤った配列で前記複数のフィンの連結軸部が前記リンク部材の連結孔に挿入されることがあっても、その場合には、複数のフィンの回動軸部の軸径の配列が設定配列と異なることになる。そのため、前記リンク部材によって連結された複数のフィンの回動軸部を、ケースに形成されている複数のフィン回動軸着孔に挿入しようとしても、少なくとも一つのフィンの回動軸部が前記ケースのフィン回動軸着孔に挿入できなくなる。これにより、フィンの配列が誤っていることがわかる。また、設定配列で隣り合うフィンにおいて、一方のフィンの連結軸部が、他方のフィンの連結軸部と対応する前記リンク部材の連結孔に挿入可能なとき、前記一方のフィンの回動軸部は、前記他方のフィンの回動軸部と対応して前記ケースに形成されたフィン回動軸着孔に挿入困難な軸径となっているため、隣り合うフィンを誤った配列でリンク部材に取り付けることがあっても、その場合にはフィンの回動軸部をケースの回動軸着孔に挿入できなくなることから、フィンが誤配列の状態でケースのフィン回動軸着孔に取り付けられるのを防ぐことができ、フィンの正規の回動を実現する風向調節装置を得ることができる。
【００１５】
請求項２の発明は、設定配列で隣り合うフィンにおいて、一方のフィンの回動軸部が、他方のフィンの回動軸部と対応して前記ケースに形成されたフィン回動軸着孔に挿入可能なとき、前記一方のフィンの連結軸部は前記他方のフィンの連結軸部と対応する前記リンク部材の連結孔に挿入困難な軸径となっているため、隣り合うフィンが誤った配列でリンク部材に取り付けられることがなくなり、リンク部材に取り付けられたフィンが誤配列の状態でケースのフィン回動軸着孔に取り付けられるのを防ぐことができ、フィンの正規の回動を実現する風向調節装置を得ることができる。
【発明を実施するための最良の形態】
【００１６】
図１は本発明の一実施形態に係る風向調節装置の斜視図、図２は同風向調節装置の分解斜視図、図３は同実施例における縦フィンをケースに取り付けた状態の斜視図、図４は同実施例における横フィンをケースに取り付ける際の斜視図、図５は同実施例における横フィンをケースに取り付けた状態の斜視図である。
【００１７】
図１から図５に示す本発明の一実施形態に係る風向調節装置１０は、自動車のインストルメンパネル等の内装部品に取り付けられる自動車用のものであって合成樹脂製からなり、ケース１１、縦フィン３１、縦フィンリンク部材４１、横フィン５１、横フィンリンク部材６１、操作部材６７、前面枠７１を有する。
【００１８】
前記ケース１１は、上側壁面１２、下側壁面１３、左側壁面１４、右側壁面１５を有する角筒形状からなり、一側が空気吹出口１１ａ、他側が空気入口１１ｂとされ、前記壁面で囲まれた内部が空気通路１６となっている。前記空気吹出口１１ａは車室内を向く前側とされ、一方、前記空気入口１１ｂはカーエアコン等の空調装置とダクト等を介して接続される後側とされる。
【００１９】
前記ケース１１において対向する上側壁面１２と下側壁面１３には縦フィン回動軸着孔１７，１８が複数形成され、また、対向する左側壁面１４と右側壁面１５には横フィン回動軸着孔２１，２２が複数形成されている。
【００２０】
前記縦フィン回動軸着孔１７，１８は、前記横フィン回動軸着孔２１，２２よりもケース１１の奥側（後側）に形成されている。前記縦フィン回動軸着孔１７，１８は、それぞれ前記縦フィン３１の数と等しくされ、また、本実施例では縦フィン回動軸着孔１７，１８の孔径は、全て等しく３．１ｍｍに設定されている。
【００２１】
一方、前記横フィン回動軸着孔２１，２２は、それぞれ前記横フィン５１の数と等しくされ、後述の横フィン５１の回動軸部５３の軸径に対応させて孔径を異ならせた複数種類とされると共に、対応する回動軸部５３の軸径よりも大きい軸径の回動軸部が挿入困難な径とされている。また、前記孔径が異なる複数の横フィン回動軸着孔２１，２２の配列（順序）は、後述する横フィン５１に設定されている配列（設定配列）と対応している。本実施例では、前記横フィン回動軸着孔２１，２２は、直径３．１ｍｍからなる大径の横フィン回動軸着孔２１ａ，２２ａと、直径２．１ｍｍからなる小径の横フィン回動軸着孔２１ｂ，２２ｂとの二種類で構成され、前記大径の横フィン回動軸着孔２１ａ，２２ａと前記小径の横フィン回動軸着孔２１ｂ，２２ｂが交互に設けられた配列とされている。図示の例の配列は、最上位置が大径の横フィン回動軸着孔２１ａ、次の位置が小径の横フィン回動軸着孔２１ｂとなるように、大径の横フィン回動軸着孔２１ａと小径の横フィン回動軸着孔２１ｂが交互に並んでいる。前記大径の横フィン回動軸着孔２１ａ，２２ａは、後述の横フィン５１における大径の回動軸部５３ａと対応し、一方、前記小径の横フィン回動軸着孔２１ｂ，２２ｂは後述の横フィン５１における小径の回動軸部５３ｂと対応して設けられている。符号２３ａ，２４ａは横フィン回動軸着孔２１，２２に後述の横フィン５１の回動軸部５３を嵌着する際の誘導溝であり、前記ケース１１の左側壁面１４と右側壁面１５にケース１１のそれぞれ前端から前記横フィン回動軸着孔２１，２２に至るように形成されている。
【００２２】
前記複数の縦フィン３１は、前記ケース１１の上側壁面１２と下側壁面１３間に略垂直方向に取り付けられて風向を左右方向に調節するものであり、板状体の両端に回動軸部３３が形成されている。前記複数の縦フィン３１の回動軸部３３は、全ての直径が同一の３ｍｍに設定されている。また、前記縦フィン３１における一端、図示の例では上端には、前記回動軸部３３と共に連結軸部３５が形成されている。前記連結軸部３５は、前記回動軸部３３と平行とされ、また、本実施例では前記複数の縦フィン３１の全てにおいて同一の２ｍｍの軸径に設定されている。さらに、一つの縦フィン３１ａには操作用係止部３２が前端に形成されている。前記操作用係止部３２は棒状からなり、操作用係止部３２の後方側に開口部３２ａが形成されている。
【００２３】
縦フィンリンク部材４１は、図示の例のような細長いプレート状あるいは図示しない棒状からなり、前記縦フィン３１の連結軸部３５が挿入される縦フィン連結孔４５が、前記縦フィン３１の数と等しい数形成されている。前記縦フィン連結孔４５は、前記縦フィン３１の連結軸部３５が挿入可能な孔径とされている。本実施例の連結孔４５は、前記縦フィン３１の連結軸部３５の軸径より僅かに大きい２．１ｍｍの孔径とされている。
【００２４】
前記複数の横フィン５１は、前記ケース１１の左側壁面１４と右側壁面１５間に略水平方向に取り付けられて風向を上下方向に調節するものであり、板状体の両端に回動軸部５３が形成され、さらに一端、図示の例では右端には前記回動軸部５３と共に連結軸部５５が形成されている。前記複数の横フィン５１の個々の形状は、前記ケース１１内での配置位置に応じて僅か異なる形状とされ、前記ケース１１への取り付け位置（順序）が設定配列に従うものとされている。
【００２５】
前記複数の横フィン５１における前記回動軸部５３の軸径及び前記連結軸部５５の軸径は、それぞれ異なる複数種類設けられている。本実施例における前記複数の回動軸部５３は、直径３ｍｍの大径の回動軸部５３ａと直径２ｍｍの小径の回動軸部５３ｂの二種類設けられている。また、本実施例における前記複数の連結軸部５５は、直径３ｍｍの大径の連結軸部５５ａと直径２ｍｍの小径の回動軸部５５ｂの二種類設けられている。前記複数の回動軸部５３の配列は、前記複数の横フィン５１が設定配列とされた場合に、最上位の位置が大径の回動軸部５３ａ、次の位置が小径の回動軸部５３ｂとなるように大径の回動軸部５３ａと小径の回動軸部５３ｂが交互する配列に設定されている。一方、前記複数の連結軸部５５の配列は、前記複数の横フィン５１が設定配列とされた場合に、最上位の位置が小径の連結軸部５５ｂ、次の位置が大径の連結軸部５５ａとなるように小径の連結軸部５５ｂと大径の連結軸部５５ａが交互する配列に設定されている。このように、本実施例では前記回動軸部５３の軸径の配列と、前記連結軸部５５の軸径の配列が異なっている。なお、前記連結軸部５５の先端には軸径よりも僅かに（例えば０．１〜０．３ｍｍ程度）大径の抜け防止部５６が形成されており、前記連結軸部５５が後述の横フィン連結孔６５に嵌着された後に横フィン連結孔６５から前記連結軸部５５が抜け難くされている。
【００２６】
前記横フィンリンク部材６１は、図示の例のような細長いプレート状あるいは図示しない棒状からなり、前記横フィン５１の連結軸部５５が挿入される横フィン連結孔６５が、前記横フィン５１の数と等しい数形成されている。前記横フィン連結孔６５は、前記複数の横フィン５１の連結軸部５５の軸径に対応させて孔径を異ならせた複数種類とされると共に、前記横フィン連結孔６５は対応する連結軸部５５の軸径よりも大きい軸径の連結軸部５５が挿入困難な径とされている。また、前記複数の横フィン連結孔６５の孔径の配列は、前記横フィン５１の設定配列に基づく前記連結軸部５５の軸径の配列に対応させたものとされている。本実施例における前記横フィン連結孔６５は、前記横フィン５１における大径の連結軸部５５ａと対応させた３．１ｍｍの孔径からなる大径の横フィン連結孔６５ａと、前記横フィン５１における小径の連結軸部５５ｂの軸径に対応させた２．１ｍｍの孔径からなる小径の横フィン連結孔６５ｂの二種類とされ、最上位の位置が小径の横フィン連結孔６５ｂ、次の位置が大径の横フィン連結孔６５ａとなるように小径の横フィン連結孔６５ｂと大径の横フィン連結孔６５ａが交互する配列とされている。
【００２７】
前記操作部材６７は、前記横フィン５１の上下操作や前記縦フィン３１の左右操作を行うためのつまみ部分であり、本実施例では、前記横フィン５１の一つがスライド可能に挿通される貫通孔６８が水平方向に形成されたつまみ部６９と、その背面に形成されたフォーク状の挟持片７０とよりなる。前記操作部材６７は、前記貫通孔６８に前記横フィン５１の一つが挿通され、前記挟持片７０が前記縦フィン３１における一つの縦フィン３１ａの操作用係止部３２を挟持するようにして、前記横フィン５１と共に前記ケース１１に組み付けられる。前記ケース１１に組み付けられた前記操作部材６７を左右に所定量動かすことにより、前記複数の縦フィン３１を左右に所定量回動させることができ、一方、前記操作部材６７を上下に所定量動かすことにより、前記複数の横フィン５１を左右に所定量回動させることができる。
【００２８】
前記前面枠７１は、前記ケース１１に前記縦フィン３１等の部材が組み付けられた後に最終的に前記ケース１１の前面側に組み付けられてケース１１の前面の美観を向上させる枠体であり、前記ケースの前端外周にはまる枠状からなる。
【００２９】
前記構成部材からなる風向調節装置の組み立ては、最初に前記複数の縦フィン３１を前記ケース１１へ取り付ける。その際、前記複数の縦フィン３１における前記連結軸部３５を、前記縦フィンリンク部材４１の縦フィン連結孔４５に挿入して、前記縦フィンリンク部材４１を前記複数の縦フィン３１に取り付ける。その状態で前記複数の縦フィン３１を前記ケース１１内に挿入し、前記複数の縦フィン３１における上下の回動軸部３３を前記ケース１１の上側壁面１２と下側壁面１３の縦フィン回動軸着孔１７，１８に嵌着することにより、前記複数の縦フィン３１を前記縦フィン回動軸着孔１７，１８に左右回動可能に軸着する。図４に前記複数の縦フィン３１を前記縦フィン回動軸着孔１７，１８に軸着した状態を示す。
【００３０】
次に、前記複数の横フィン５１を前記ケース１１へ取り付ける。まず、前記複数の横フィン５１における前記連結軸部５５を、前記横フィンリンク部材６１の横フィン連結孔６５に挿入して、前記横フィンリンク部材６１を前記複数の横フィン５１に取り付ける。その際、前記複数の横フィン５１は設定配列とされ、前記横フィン５１の連結軸部５５が、前記横フィンリンク部材６１において対応する横フィン連結孔６５に挿入される。本実施例では、前記複数の横フィン５１が設定配列とされることにより、前記複数の横フィン５１における回動軸部５３は最上位から下方に向かって順に大径の回動軸部５３ａ、小径の回動軸部５３ｂが交互に位置する配列とされ、前記横フィンリンク部材６１における前記横フィン連結孔６５の配列、すなわち最上位から下方へ向かって順に大径の横フィン連結孔６５ａ、小径の横フィン連結孔６５ｂが交互に位置する配列と一致したものとなる。このとき、前記連結軸部５５の先端には軸部の径よりもわずかに大きな前記抜け防止部５６が形成されているため、前記連結軸部５５を幾分強引に前記横フィン連結部材連結孔６５に挿入する。また、前記複数の横フィン５１における配列を誤った結果、前記小径の横フィン連結孔６５ｂに前記大径の連結軸部５５ａを挿入しようとすることがあっても、その場合には前記大径の連結軸部５５ａの軸径が小径の横フィン連結孔６５ｂの孔径よりも所要量大きいために大径の連結軸部５５ａの挿入が困難であり、作業者は横フィン５１の配列が誤っていることを認識することができる。なお、前記複数の横フィン５１における一つには、前記横フィンリンク部材６１の取り付け前、あるいは取り付け後に、前記操作部材６７が取り付けられる。図４には、前記複数の横フィン５１に前記横フィンリンク部材６１を取り付け、前記横フィン５１の一つに前記操作部材６７を取り付けた状態を示す。
【００３１】
その後、前記複数の横フィン５１における前記回動軸部５３を、前記ケース１１の左側壁面１４と右側壁面１５に形成されている横フィン回動軸着孔２１，２２に挿入する。その際、前記ケース１１の左側壁面１４と右側壁面１５の前記横フィン回動軸着孔２１，２２は、前記複数の横フィン５１の設定配列に基づく回動軸部５３の軸径の配列に対応した配列で形成されているため、前記横フィン連結部材６１に正しい配列で取り付けられた前記複数の横フィン５１は、前記回動軸部５３の軸径の配列と前記ケース１１の横フィン回動軸着孔２１，２２の孔径の配列が正しく対応した状態となっており、前記複数の横フィン５１を正しい配列で、且つスムーズに前記ケース１１の横フィン回動軸着孔２１，２２に軸着することができる。また、前記複数の横フィン５１を前記ケース１１に取り付ける際に、前記操作部材６７の背面に形成されている前記挟持片７０で前記縦フィン３１ａの操作用係止部３２を挟持する。図５は前記複数の横フィン５１を前記ケース１１に取り付けた状態を示す斜視図である。その後、前記前面枠７１を前記ケース１１の前面に装着すれば、図１の風向調節装置１０となる。
【００３２】
なお、本実施例では、前記複数の横フィン５１の連結軸部５５を前記横フィンリンク部材６１の横フィン連結孔６５に挿入する際、設定配列で隣り合う関係にある横フィン５１，５１において、小径の連結軸部５５ｂを有する一方の横フィンは、配列を誤った場合、他方の横フィンに形成されている大径の連結軸部５５ａと対応する横フィンリンク部材６１の大径の横フィン連結孔６５ａに、小径の連結軸部５５ｂを挿入することが可能である。しかしながら、その場合には、前記小径の連結軸部５５ｂを有する横フィンに形成されている大径の回動軸部５３ａが、前記ケース１１に形成されている小径の横フィン回動軸着孔２１ｂ，２２ｂの位置となるため、前記小径の連結軸部５５ｂを有する横フィンをケース１１に取り付けられなくなり、横フィン５１が誤配列でケース１１に取り付けられるのを防ぐことができる。
【００３３】
また、本実施例では、設定配列で隣り合う関係にある横フィン５１，５１において、小径の回動軸部５３ｂを有する一方の横フィンは、他方の横フィンに形成されている大径の回動軸部５３ａと対応してケース１１に形成されている大径の横フィン回動軸着孔２１ａ，２２ａに、小径の回動軸部５３ｂを挿入可能となっている。しかしながら、その場合、前もって前記横フィン５１の連結軸部５５を横フィンリンク部材６１の横フィン連結孔６５に挿入する際に、小径の回動軸部５３ｂを有する横フィンに形成されている大径の連結軸部５５ａを、横フィンリンク部材６１に形成されている小径の横フィン連結孔６５ｂに挿入しなければならず、その挿入が困難となっていることから、横フィンの誤配列を防ぐことができ、前記ケース１１に形成されている大径の横フィン回動軸着孔２１ａ，２２ａに横フィン５１の小径の回動軸部５３ｂが挿入されて横フィンが誤配列で取り付けられるのを防ぐことができる。
【００３４】
前記実施例では、横フィンのみに誤配列を防ぐ本発明の構成が適用されているが、横フィンと共に縦フィンにも誤配列防止の構成を適用したり、あるいは縦フィンのみに誤配列防止の構成を適用したりしてもよい。また、前記回動軸部、連結軸部、フィン回動軸着孔、フィン連結孔の径の種類は、大小の二種類に限られず、大中小の三種類やそれ以上としてもよい。
【００３５】
このように本発明によれば、フィン連結部材へ複数のフィンを取り付ける際にフィンの誤配列を防ぐことができ、フィンがスムーズに回動する正規の取り付け状態からなる風向調節装置が得られる。また、万一、複数のフィンを配列の誤った状態で強引にフィン連結部材に取り付けることができたとしても、その場合には、その後におけるケースへのフィンへの取り付けが困難となるため、フィンが誤った配列でケースに取り付けられた風向調節装置となるのを防ぐことができる。
【図面の簡単な説明】
【００３６】
【図１】本発明の一実施形態に係る風向調節装置の斜視図である。
【図２】同風向調節装置の分解斜視図である。
【図３】同実施例における縦フィンをケースに取り付けた状態の斜視図である。
【図４】同実施例における横フィンをケースに取り付ける際の斜視図である。
【図５】同実施例における横フィンをケースに取り付けた状態の斜視図である。
【図６】従来の風向調節装置の分解斜視図である。
【図７】従来における横フィンのケースへの取り付けを示す斜視図である。
【図８】従来における横フィンのケース取り付け後を示す斜視図である。
【符号の説明】
【００３７】
１０  風向調節装置
１１  ケース
１７，１８  縦フィン回動軸着孔
２１，２２  横フィン回動軸着孔
３１  縦フィン
３３  回動軸部
３５  連結軸部
４１  縦フィンリンク部材
４５  縦フィン連結孔
５１  横フィン
５３  回動軸部
５５  連結軸部
６１  横フィンリンク部材
６５  横フィン連結孔
６７  操作部材
７１  前面枠
【図１】
0005100304.tif 000002
【図２】
0005100304.tif 000003
【図３】
0005100304.tif 000004
【図４】
0005100304.tif 000005
【図５】
0005100304.tif 000006
【図６】
0005100304.tif 000007
【図７】
0005100304.tif 000008
【図８】
0005100304.tif 000009